(57)【特許請求の範囲】
【請求項１】
上下枠および左右縦枠からなる四周枠内の上方に外障子を固定し、下方に内障子を上げ下げ可能に設け、前記上枠内にバネ力で巻取り付勢された吊部材を介して前記内障子を任意の高さ位置に保持するためのバランサーを収納配置するために、前記外障子の上部と上枠の室内面との間に前記バランサーを入れるための開口部を形成し、この開口部にカバー部材を着脱可能に設けてなることを特徴とする上げ下げ窓。
【請求項２】
上下枠および左右縦枠からなる四周枠内の上方に外障子を固定し、下方に内障子を上げ下げ可能に設け、前記上枠内にバネ力で巻取り付勢された吊部材を介して前記内障子を任意の高さ位置に保持するためのバランサーを収納配置するために、前記外障子の上部と上枠の室内面との間に前記バランサーを入れるための開口部を形成し、この開口部にカバー部材を着脱可能に設け、前記バランサーには室内側に臨んで調節部が設けられていることを特徴とする上げ下げ窓。
【請求項３】
開口枠内に戸体を開閉可能に設け、この戸体は上下枠および左右縦枠からなる四周枠を戸体に一体もしくは別体で有し、この四周枠内の上方に外障子を固定し、下方に内障子を上げ下げ可能に設けた上げ下げ窓付戸であって、前記上枠内にバネ力で巻取り付勢された吊部材を介して前記内障子を任意の高さ位置に保持するためのバランサーを収納配置するために、前記外障子の上部と上枠の室内面との間に前記バランサーを入れるための開口部を形成し、この開口部にカバー部材を着脱可能に設けてなることを特徴とする上げ下げ窓付戸。
【請求項４】
開口枠内に戸体を開閉可能に設け、この戸体は上下枠および左右縦枠からなる四周枠を戸体に一体もしくは別体で有し、この四周枠内の上方に外障子を固定し、下方に内障子を上げ下げ可能に設けた上げ下げ窓付戸であって、前記上枠内にバネ力で巻取り付勢された吊部材を介して前記内障子を任意の高さ位置に保持するためのバランサーを収納配置するために、前記外障子の上部と上枠の室内面との間に前記バランサーを入れるための開口部を形成し、この開口部にカバー部材を着脱可能に設け、前記バランサーには室内側に臨んで調節部が設けられていることを特徴とする上げ下げ窓付戸。
【発明の詳細な説明】
【０００１】
【発明の属する技術分野】
本発明は、上げ下げ窓および上げ下げ窓付戸に係り、特に組立性の向上等を図った上げ下げ窓および上げ下げ窓付戸に関する。
【０００２】
【従来の技術】
建物の開口部に取付けられる上げ下げ窓としては、上下枠および左右縦枠からなる四周枠内の上方に外障子を、下方に内障子を設け、少なくとも内障子を上げ下げ可能とし、上枠内にバネ力で巻取り付勢された吊部材を介して前記内障子を任意の高さ位置に保持するバランサーを収納配置してなるものが知られている（例えば、特開平８−１３５２９６号公報等参照）。前記バランサーは、上下方向の軸を中心に回動して吊部材を巻取る巻取部を有しており、この巻取部から吊部材が上枠の端部方向へ引き出された後、縦枠に沿うように滑車（ガイドプーリ）により下方へ導びかれて内障子を保持するように構成されている。また、前記バランサーは、例えば上枠の下面の長手方向中央部に形成した開口部から上枠内に入れ（挿入し）、左右に振り分けて取付けるように構成されている。
【０００３】
【発明が解決しようとする課題】
しかしながら、前記上げ下げ窓においては、上枠の下面の開口部からバランサーを上枠内に入れて取付ける構造上、バランサーを取付ける前に上枠の下部に外障子（固定障子）を取付けると、バランサーの取付けが困難となる。そのため、外障子を取付ける前にバランサーを取付けなければならないという制約を受け、、組立性に劣る問題があった。また、バランサーの調節も容易でなかった。
【０００４】
本発明は、前記事情を考慮してなされたもので、障子の取付手順を問わずにバランサーの取付けが随時可能で組立性の向上が図れる上げ下げ窓および上げ下げ窓付戸を提供することを目的とする。また、本発明は、障子の取付手順を問わずにバランサーの取付けが随時可能で組立性の向上が図れると共に、バランサーの調節も室内側から容易に行うことができる上げ下げ窓および上げ下げ窓付戸を提供することを目的とする。
【０００５】
【課題を解決するための手段】
本発明のうち、請求項１に係る上げ下げ窓は、上下枠および左右縦枠からなる四周枠内の上方に外障子を固定し、下方に内障子を上げ下げ可能に設け、前記上枠内にバネ力で巻取り付勢された吊部材を介して前記内障子を任意の高さ位置に保持するためのバランサーを収納配置するために、前記外障子の上部と上枠の室内面との間に前記バランサーを入れるための開口部を形成し、この開口部にカバー部材を着脱可能に設けてなることを特徴とする。
【０００６】
請求項２に係る上げ下げ窓は、上下枠および左右縦枠からなる四周枠内の上方に外障子を固定し、下方に内障子を上げ下げ可能に設け、前記上枠内にバネ力で巻取り付勢された吊部材を介して前記内障子を任意の高さ位置に保持するためのバランサーを収納配置するために、前記外障子の上部と上枠の室内面との間に前記バランサーを入れるための開口部を形成し、この開口部にカバー部材を着脱可能に設け、前記バランサーには室内側に臨んで調節部が設けられていることを特徴とする。
【０００７】
請求項３に係る上げ下げ窓付戸は、開口枠内に戸体を開閉可能に設け、この戸体は上下枠および左右縦枠からなる四周枠を戸体に一体もしくは別体で有し、この四周枠内の上方に外障子を固定し、下方に内障子を上げ下げ可能に設けた上げ下げ窓付戸であって、前記上枠内にバネ力で巻取り付勢された吊部材を介して前記内障子を任意の高さ位置に保持するためのバランサーを収納配置するために、前記外障子の上部と上枠の室内面との間に前記バランサーを入れるための開口部を形成し、この開口部にカバー部材を着脱可能に設けてなることを特徴とする。
【０００８】
請求項１に係る上げ下げ窓付戸は、開口枠内に戸体を開閉可能に設け、この戸体は上下枠および左右縦枠からなる四周枠を戸体に一体もしくは別体で有し、この四周枠内の上方に外障子を固定し、下方に内障子を上げ下げ可能に設けた上げ下げ窓付戸であって、前記上枠内にバネ力で巻取り付勢された吊部材を介して前記内障子を任意の高さ位置に保持するためのバランサーを収納配置するために、前記外障子の上部と上枠の室内面との間に前記バランサーを入れるための開口部を形成し、この開口部にカバー部材を着脱可能に設け、前記バランサーには室内側に臨んで調節部が設けられていることを特徴とする。
【０００９】
【発明の実施の形態】
以下に、本発明の実施の形態を添付図面に基いて詳述する。図１は本発明の実施の形態を示す上げ下げ窓の室内側正面図、図２は図１のＡ−Ａ線断面において上枠内に開口部からバランサーを入れる状態を説明する拡大断面図、図３は図１のＢ−Ｂ線断面図、図４は図１のＣ−Ｃ線断面図、図５はバランサーの取付構造を示す分解斜視図である。
【００１０】
図１、図３ないし図４において、１は建物の開口部に取付けられる上げ下げ窓で、その窓枠である四周枠２は上下枠（上枠と下枠）２ａ，２ｂおよび左右の縦枠２ｃ，２ｃを枠組みしてなる。この四周枠２内には、外障子３と内障子４が設けられ、その一方の障子（外障子）３が固定障子とされ、他方の障子（内障子）４が上げ下げ可能な可動障子とされている。外障子３は四周枠２内の室外側上方に設けられ、内障子４は室内側下方に上げ下げ可能に設けられている。
【００１１】
本実施の形態の上げ下げ窓１は断熱構造とされている。四周枠２を構成する枠材すなわち上枠２ａ、下枠２ｂおよび両縦枠２ｃ，２ｃは、金属製例えばアルミニウム合金製の室外形材２ｘと室内形材２ｙを低熱伝導材例えば合成樹脂製の断熱ブリッジ２ｚを介して結合してなる。
【００１２】
上枠２ａは、バネ力で巻取り付勢された吊部材６を介して可動障子である内障子４を任意の高さ位置に保持する後述のバランサー５を内部に収納（収容）し得るように中空に形成されていると共に、前記外障子３の上部と上枠２ａの室内面２ｇとの間、換言すれば上枠２ａの下面２ｆおよび室内面２ｇからなるコーナー部には、図２に示すように、バランサー５を上枠２ａ内に入れる（挿入する）ことが可能（出し入れ可能）な口径の開口部７が長手方向に連続して形成されている。この開口部７には、後述のカバー部材８が着脱可能に取付けられている。なお、図示例の上枠２ａの室外面２ｈは、室外形材２ｘに別体で設けられているが、室外形材２ｘに一体形成されていてもよい。上枠２ａの見付け寸法は、最小限に抑えられている。
【００１３】
外障子３は、上枠２ａ、両縦枠２ｃ，２ｃおよび両縦枠２ｃ，２ｃ間に掛け渡された下框９により区画された内側にガラス（例えば複層ガラス）１０を装着してなる。上枠２ａおよび縦枠２ｃの室外形材２ｘには、ガラス１０の室外側の上縁部と両側縁部を押えるガラス押え部２ｍ，２ｎがそれぞれ一体形成されていると共に、ガラス１０の室内側の上縁部と両側縁部を押える押縁１１，１２がそれぞれ着脱可能に取付けられている。
【００１４】
上部の押縁１１は、低熱伝導材例えば合成樹脂からなり、前記上枠２ａの下面２ｆに係合されている。側部の押縁１２は、金属例えばアルミニウム合金からなり、縦枠２ｃの室外形材２ｘに合成樹脂製の取付枠材１３を介して取付けられている。
【００１５】
内障子４は、上框１４、下框１４ｂおよび左右の縦框１４ｃ，１４ｃからなる四周框１４内に、ガラス（例えば複層ガラス）１０を装着してなる。四周框１４を構成する框材すなわち上框１４ａ、下框１４ｂおよび両縦框１４，１４ｃは、金属製例えばアルミニウム合金製の室外形材１４ｘと室内形材１４ｙを低熱伝導材例えば合成樹脂製の断熱ブリッジ１４ｚを介して結合してなる。
【００１６】
両縦枠２ｃ，２ｃの対向部には、内障子４を上下方向に移動可能に案内するための縦溝（ガイド溝）１５ａを有する金属製例えばアルミニウム合金製の縦溝部材１５が取付けられている。この縦溝部材１５は、室内側を縦枠２ｃの室内形材２ｙに係合支持させ、室外側を縦枠２ｃの室外形材２ｘに合成樹脂製の支持材１６を介して固定することにより、室外形材２ｘと室内形材２ｙの冷熱橋にならないように取付けられている。
【００１７】
前記縦溝部材１５の略上半分は、前記取付枠材１３に当接されている。また、縦溝部材１５の略下半分と縦枠２ｃの室外側ガラス押え部２ｎとの間には、合成樹脂製の内側カバー部材１７が掛け渡されており、外気が縦溝部材１５に直接接触しないように断熱性の向上が図られている。なお、前記縦溝１５ａは、縦枠２ｃの例えば室外形材２ｘと室内形材２ｙにリブを設けることにより縦枠２ｃに直接形成されていてもよい。
【００１８】
内障子４の両側下部例えば下框１４ｂの両端部には、前記縦溝１５ａにスライド可能に係合する下部支持部材１８が突設され、内障子４の両側上部例えば上框１４ａの両端部には、縦溝１５ａにスライド可能に係合する上部支持部材１９が両側方へ出没可能に設けられている。上部支持部材１９は、内障子４の上面部（上框の上面部）には前記上部支持部材１９を出没操作するための操作部２０が設けられ、この操作部２０により上部支持部材１９を両側部から没入させる（引込める）ことにより、内障子４を下部支持部材１８を支点として室内側に倒し、内障子３の室外面を容易に掃除できるようになっている。
【００１９】
前記下部支持部材１８の先端部には、バランサー５から引き出した吊部材（例えばワイヤ）６の先端に形成されたリング（図示省略）を引っ掛けるための環状溝（引掛部）２１が設けられている。内障子４の上框１４ａにはクレセント２２が設けられ、下框１４ｂには室内側に突出した取っ手２３が設けられている。また、前記縦溝部材１５の上端位置には、内障子４の上限位置を規制するストッパー２４が取付けられている。
【００２０】
前記バランサー５は、上枠２ａと縦枠２ｃの接合部付近の上枠２ａ内に収納配置されている。このバランサー５は、図５にも示すように、室内外方向の軸（操作軸）２５を中心に回動して吊部材６を巻取る巻取部２６を有し、この巻取部２６から吊部材６を直接下方に引き出して縦溝１５ａに通し、下部支持部材１８を介して前記内障子４を保持している。換言すれば、吊部材６が巻取部２６から離れる点が、上方から見て縦枠２ｃの縦溝１５ａ内に位置されている（図４参照）。
【００２１】
バランサー５は、前記巻取部２６および巻取部２６を巻取方向に付勢するバネ（ゼンマイバネ）２７を収容するハウジング２８を有し、このハウジング２８の室内面には、巻取付勢力（バネ力）を調節するための調節部２９が設けられている。巻取部２６は、巻き始めから巻き終わりまで吊部材６に一定の張力が作用するように漸次縮径した螺旋状の巻取溝（図示省略）が形成されている。
【００２２】
前記調節部２９は、前記軸２５に取付けられた爪車３０と、この爪車３０の回転を止めるべく揺動可能に軸支されバネ３１により付勢された爪３２とからなるラチェット機構からなっている。軸２５と爪３２には工具例えばマイナスドライバーが係合する係合溝３３，３４が設けられ、軸２５を反時計方向に回すことによりゼンマイバネ２７を巻いて巻取付勢力を増大させることができ、また、爪３２をバネ３１に抗して揺動させることにより軸２５を時計方向に間欠的に戻し（ゼンマイバネを緩め）て巻取付勢力を減少させることができるようになっている。
【００２３】
バランサー５を上枠２ａ内に収納した状態で容易に取付固定するために、バランサー５を縦枠２ｃに対して取付ける取付構造が採用されている。この場合、上枠２ａと縦枠２ｃの接合構造として、両縦枠２ｃ，２ｃの対向部に上枠２ａを接合する縦通し接合構造が採用されており、上枠２ａの端部を接合するために縦枠２ｃの内側面は、縦溝部材１５等の突起部を切除することにより平らに形成されている。この縦枠２ｃの平らな内側面には、バランサー５を取付けるためにスぺーサ３５を介してブラケット３６が縦枠２ｃの外側からネジ３７で取付固定されている。
【００２４】
バランサー５のハウジング２８の一側部には、縦長の取付板部２８ａが一体形成されたおり、この取付板部２８ａには上側に引掛穴３８が、下側に固定ネジ３９を通す孔４０がそれぞれ形成されている。前記ブラケット３６には、引掛穴３８を引掛けるための斜め上向きの引掛部４１が形成されていると共に、固定ネジ３９を螺合するためのネジ孔４２が形成されている。なお、スぺーサ３５およびブラケット３６は、Ｌ字状に形成すると共に、ブラケット３６に引掛部４１やネジ孔４２を対称に形成すること等により、左右の縦枠２ｃ、２ｃに対して一種類で共通に使用できるようになっている。前記スぺーサ３５は、縦枠２ｃの室外形材２ｘと室内形材２ｙに跨って取付けられるので、冷熱橋とならないように低熱伝導材例えば合成樹脂により形成されている。
【００２５】
前記上枠２ａの開口部７は、前述のように前記外障子３の上部と上枠２ａの室内面２ｇとの間、すなわち室内形材２ｙの室内面２ｇの下側から室外形材２ｘの下面２ｆの室内側に跨って形成されていることにより、障子３，４の取付けの前後を問わずに、バランサー５の取付けが独立して容易に行えると共に、バランサー５の調節部２９の調整を室内側から容易に行えるようになっている。そして、上枠２ａの開口部７には、この開口部７を覆う室内面８ａおよび下面８ｂを有する断面Ｌ字状の金属製例えばアルミニウム合金製のカバー材８が、その一側縁部を上枠２ａの室内形材２ｙの室内面２ｇ下縁部に係合し、且つ他側縁部を前記上部押縁１１に係止することにより着脱可能に取付けられている。
【００２６】
以上の構成からなる上げ下げ窓１によれば、上下枠２ａ，２ｂおよび左右縦枠２ｃ，２ｃからなる四周枠２内の上方に外障子３を固定し、下方に内障子４を上げ下げ可能に設け、前記上枠２ａ内にバネ力で巻取り付勢された吊部材６を介して前記内障子４を任意の高さ位置に保持するためのバランサー５を収納配置するために、前記外障子３の上部と上枠２ａの室内面２ｇとの間に前記バランサー５を入れるための開口部７を形成しているので、障子３，４の取付手順を問わずにバランサー５の取付けを随時行うことが可能となり、組立性ないし施工性の向上が図れる。
【００２７】
また、バランサー５は、そのハウジング２８の取付板部２８ａに形成された引掛穴３８を縦枠２ｃに設けられたブラケット３６の引掛部４１に引掛けて、その取付板部２８ａをブラケット３６に固定ネジ３９で固定するだけの簡単な作業で容易に取付けることができるので、組立性のより一層の向上が図れる。前記バランサー５には室内側に臨んで調節部２９が設けられており、この調節部２９は上枠２ａの開口部７からカバー部材８を取外すことにより室内側に露出するため、調節作業を容易に行うことができる。
【００２８】
また、上枠２ａの開口部７には、これを覆うカバー部材８が着脱可能に取付けられているため、上枠２ａの内部を覆い隠すことができ、また、カバー部材８を取外してバランサー５の調整やメンテナンスを迅速容易に行うことができる。このカバー部材８は、上枠２ａの室内形材２ｙと同じ金属製であり、その一側縁部が室内形材２ｙに接合されるが、他側縁部が合成樹脂製の上部押縁１１に接合されるため、上枠２ａの室内形材２ｙと室外形材２ｘとの間の冷熱橋となることがなく、断熱性を確保することができる。
【００２９】
また、前記バランサー５は上枠２ａと縦枠２ｃの接合部付近の上枠２ａ内に収納配置され、このバランサー５は室内外方向の軸２５を中心に回動して前記吊部材６を巻取る巻取部２６を有し、この巻取部２６から吊部材６が直接下方へ引き出されて内障子（可動障子）４を保持しているため、巻取部から引き出した吊部材を滑車を介して下方へ導いている従来のものと異なり、滑車が不要となり、滑車がない分、摩擦抵抗が約２０％減少して内障子（可動障子）４の開閉力を小さくすることが可能となり、操作性の向上が図れると共に、幅寸法の小さい上げ下げ窓を製作することが可能となる。
【００３０】
図６は本発明の実施の形態を示す上げ下げ窓付ドアの室内側正面図である。この上げ下げ窓付ドア（上げ下げ窓付戸）４５は、建物の開口部に取付けられる開口枠であるドア枠４６と、このドア枠４６内にヒンジ４７を介して開閉可能に設けられたドア本体（戸体）４８とを備え、このドア本体４８に上げ下げ窓１が設けられている。すなわち、ドア本体４８は上げ下げ窓１の窓枠を構成する上下枠２ａ，２ｂおよび左右の縦枠２ｃ，２ｃからなる四周枠２をドア本体４８に一体もしくは別体で有し、この四周枠２内の上方に外障子３を固定し、下方に内障子４を上げ下げ可能に設けている。
【００３１】
なお、ドア本体４８は框組構造であってもよく、あるいはフラッシュドア構造であってもよい。ドア本体４８に設けられた上げ下げ窓１は、前記実施の形態のものと同じであるため、同一部分に同一符号を付して説明を省略する。このように構成された上げ下げ窓付ドア４５においても、前記実施の形態の上げ下げ窓と同様の効果を奏することができる。
【００３２】
以上、本発明の実施の形態を図面により詳述してきたが、本発明は前記実施の形態に限定されるものではなく、本発明の要旨を逸脱しない範囲での種々の設計変更等が可能である。例えば、前記実施の形態では、上げ下げ窓および上げ下げ窓付ドアは、断熱構造であるが、断熱構造でなくてもよい。また、本発明（上げ下げ窓付戸）は、ドアだけでなく、引戸等にも適用可能である。
【００３３】
【発明の効果】
以上要するに本発明によれば、次のような効果を奏することができる。
【００３４】
（１）請求項１に係る上げ下げ窓または請求項３に係る上げ下げ窓付戸によれば、上下枠および左右縦枠からなる四周枠内の上方に外障子を固定し、下方に内障子を上げ下げ可能に設け、前記上枠内にバネ力で巻取り付勢された吊部材を介して前記内障子を任意の高さ位置に保持するためのバランサーを収納配置するために、前記外障子の上部と上枠の室内面との間に前記バランサーを入れるための開口部を形成し、この開口部にカバー部材を着脱可能に設けているので、障子の取付手順を問わずにバランサーの取付けが随時可能となり、組立性の向上が図れる。
【００３５】
（２）請求項２に係る上げ下げ窓または請求項４に係る上げ下げ窓付戸によれば、上下枠および左右縦枠からなる四周枠内の上方に外障子を固定し、上下枠および左右縦枠からなる四周枠内の上方に外障子を固定し、下方に内障子を上げ下げ可能に設け、前記上枠内にバネ力で巻取り付勢された吊部材を介して前記内障子を任意の高さ位置に保持するためのバランサーを収納配置するために、前記外障子の上部と上枠の室内面との間に前記バランサーを入れるための開口部を形成し、この開口部にカバー部材を着脱可能に設け、前記バランサーには室内側に臨んで調節部が設けられているため、障子の取付手順を問わずにバランサーの取付けが随時可能で組立性の向上が図れると共に、バランサーの調節も室内側から容易に行うことができる。
【図面の簡単な説明】
【図１】本発明の実施の形態を示す上げ下げ窓の室内側正面図である。
【図２】図１のＡ−Ａ線断面において上枠内に開口部からバランサーを入れる状態を説明する拡大断面図である。
【図３】図１のＢ−Ｂ線断面図である。
【図４】図１のＣ−Ｃ線断面図である。
【図５】バランサーの取付構造を示す分解斜視図である。
【図６】本発明の他の実施の形態を示す上げ下げ窓付ドアの室内側正面図である。
【符号の説明】
１  上げ下げ窓
２  四周枠
２ａ  上枠
２ｂ  下枠
２ｃ  縦枠
３  外障子（固定障子）
４  内障子（可動障子）
５  バランサー
６  吊部材
７  開口部
８  カバー部材
２９  調節部
４５  上げ下げ窓付ドア（上げ下げ窓付戸）
４６  ドア枠（開口枠）
４８  ドア本体（戸体）
【図１】
0003542532.tif 000002
【図２】
0003542532.tif 000003
【図３】
0003542532.tif 000004
【図４】
0003542532.tif 000005
【図５】
0003542532.tif 000006
【図６】
0003542532.tif 000007